(57)【特許請求の範囲】
【請求項１】
略丸棒状のバイブレータ（２）の周面（５ａ）に、当該バイブレータ（２）に対して外部から作用する圧力を測定する圧力測定器（３）が設けられたことを特徴とする不感症診断装置。
【請求項２】
前記圧力測定器（３）として、圧力を電気信号に変換する圧力センサ（１０）がバイブレータ（２）の周面（５ａ）に貼り付けられ、当該圧力センサ（１０）の上からバイブレータ（２）を覆うサック（１１）が被せられてなる請求項１記載の不感症診断装置。
【請求項３】
前記圧力測定器（３）として、測定流体を充填した二重サック（２２）がバイブレータ（２）に被せられて装着されると共に、前記測定流体の圧力を電気信号に変換する圧力センサ（２３）が導圧管（２４）を介して前記二重サック（２２）に接続されてなる請求項１記載の不感症診断装置。
【請求項４】
前記圧力センサ（１０、２３）が、その出力信号波形からバイブレータ（２）による高周波成分を除去するローパスフィルタを備えた増幅器（１２）に接続されてなる請求項２又は３記載の不感症診断装置。
【発明の詳細な説明】
【０００１】
【発明の属する技術分野】
本発明は、不感症の原因を診断し、患者に説明するための基礎データを得るための不感症診断装置に関する。
【０００２】
【従来の技術】
不感症には、身体的欠陥に基づく外因性のものと、身体的には何ら異常のない心理的原因に基づく内因性ものがあり、外因性の場合にはその原因となっている身体的欠陥を治療しなければならず、内因性の場合は患者の心理的原因を取り除くというように、その治療の方法が全く異なる。
【０００３】
このため、通常は医師が問診等を行なうことにより不感症の原因を聞き出し、原因が判明したところで、夫々の原因に適した処置を行なうこととしている。
【０００４】
【発明が解決しようとする課題】
しかしながら、問診により不感症の原因を特定する場合には、患者の性体験を詳細に聞き出さなければならないだけでなく、場合によってはその相手男性からも事情を聞かなければならないことも生ずるので、専門医であっても原因を特定することが難しい。
【０００５】
一方、内因性のもののうち、最も多い症例は、患者の性的な経験が少なく、単に性的刺激に対する感覚が未発達であって身体的には何ら異常がないにもかかわらず、自分は不感症なのではないかという不安感により、ついには、身体的な欠陥があると思い込んでいるというものである。
【０００６】
この場合に、患者に対し、身体的には何ら異常がないということを納得させることができれば、後は性的刺激に対する感覚を訓練すれば良いので、治療効果も高い。
【０００７】
そこで本発明は、患者に性的刺激を与えたときの微妙な体の変化を検出して、不感症の原因となる身体的欠陥がないことを容易に判断できる基礎データを得られるようにすることを技術的課題としている。
【０００８】
【課題を解決するための手段】
この課題を解決するために、本発明に係る不感症診断装置は、略丸棒状のバイブレータの周面に、当該バイブレータに対して外部から作用する圧力を測定する圧力測定器が設けられたことを特徴とする。
【０００９】
本発明によれば、バイブレータ周面に圧力測定器が配されているので、バイブレータを女性性器に挿入して振動させたときに、その刺激により女性性器が収縮を起こすと、その身体的変化が圧力測定器で検出される。
【００１０】
単に性的刺激に対する感覚が未発達であって身体的には何ら異常がなく、自ら身体的な欠陥があると思い込んでしまっている患者は、バイブレータにより刺激を与えたときに、これに反応して、自覚はなくても女性性器が僅かに収縮を起こす。
したがって、医師としては、この変化が圧力測定器により検出されれば身体的には異常がないと判断することができるので的確な治療を行なうことができると同時に、客観的なデータに基づいて患者に対しその症状を説明することができ、患者としても自己の症状を納得した上で以後の治療を受けることができる。
【００１１】
【発明の実施の形態】
以下、本発明の実施の形態を図面に基づいて具体的に説明する。
図１は本発明に係る不感症診断装置を示す説明図、図２は圧力センサの信号波形を示す説明図、図３は他の実施形態を示す説明図である。
【００１２】
図１に示す不感症診断装置１は、略丸棒状のバイブレータ２の周面に、当該バイブレータ２に対して外部から作用する圧力を測定する圧力測定器３が設けられてなる。
バイブレータ２は、グリップ４ａが形成された金属性の中空ベース４と、先端が半球状の中空丸棒５が一体に形成されてなり、その内部に、回転軸６の先端に偏心荷重７を取り付けた小型モータ８からなる振動発生源９が配設されてなる。
【００１３】
そして、圧力測定器３として、本例では、圧力を電気信号に変換する圧力センサ１０が前記中空丸棒５の周面５ａに貼り付けられており、当該圧力センサ１０の上からバイブレータ２を覆うようにゴム製又は合成樹脂製のサック１１が被せられてなる。
【００１４】
１２は、圧力センサ１０の出力信号波形からバイブレータ２による高周波成分を除去するローパスフィルタを備えたアンプ（増幅器）であって、その入力側に圧力センサ１０が接続され、出力側に信号処理された検出信号を記録するペンレコーダ１３が接続されてなる。
【００１５】
以上が本発明の構成例であって、次にその作用について説明する。まず、圧力センサ１０とペンレコーダ１３をアンプ１２に接続して、バイブレータ２を女性性器に挿入した状態で、圧力センサ１０から出力された信号に基づいて０点を設定する。
【００１６】
次いで、バイブレータ２のスイッチ（図示せず）を入れ、患者に対し振動による刺激を加えながら、ペンレコーダ１３により圧力センサ１０の出力信号を記録していく。
このとき、所定時間連続して刺激を与え続けると、健康な女性であればその刺激に反応して、女性性器がバイブレータ２を締め付けるように強く収縮し、身体的欠陥に起因する不感症の患者は女性性器の収縮を示さない。
【００１７】
しかし、不感症の患者であっても、性的刺激に対する感覚が未発達であって身体的には何ら異常がなく自ら身体的な欠陥があると思い込んでしまっている場合には、所定時間連続して刺激を与えつづけたときに患者の自覚はないが僅かに収縮を示し、その変化が圧力センサ１０により検出される。
【００１８】
このとき、圧力センサ１０の出力信号の波形は、女性性器の収縮による締付圧力の変化を示す図２（ａ）のような低周波成分Ｌに、バイブレータ２の振動により生ずる図２（ｂ）のような高周波成分Ｈが重畳されて、図２（ｃ）のような信号Ｍとなっている。
したがって、その低周波成分Ｌの変化を観察し、僅かでも変化が起これば治る可能性の極めて高い内因性の不感症であることがわかる。
【００１９】
また、本例のように、圧力センサ１０がローパスフィルタを備えたアンプ１２に接続され、そのローパスフィルタにより出力信号波形からバイブレータ２による高周波成分Ｈを除去させれば、女性性器の収縮による締付圧力の変化を示す低周波成分Ｌのみがペンレコーダ１３に記録されるので、より判断が容易になる。
【００２０】
したがって、バイブレータ２で刺激を与えたときに、圧力センサ１０により女性性器が僅かでも収縮していることが検出されれば、身体的には異常がないと判断できる。
【００２１】
図３は他の実施形態を示す説明図である。なお、図１と重複する部分については同一符号を付して詳細説明は省略する。
本例の不感症診断装置２１は、圧力測定器３として、空気などの測定流体が充填可能な二重サック２２がバイブレータ２の周面に被せられ、前記測定流体の圧力を電気信号に変換する圧力センサ２３が導圧管２４を介して前記二重サック２２に接続されている。
【００２２】
二重サック２２の開口部には、当該サック２２をバイブレータ２に被せた状態でベース４に装着するプラスチック製又は金属製の口金２５が取り付けられ、当該口金２５には、前記導圧管２４を接続するポート２６と、挿入深さを規制するフランジ２７が取り付けられてなる。
【００２３】
また、小型モータ８を収容するバイブレータ２のベース４は、中空丸棒５より太く、二重サック２２内に空気を入れると中空丸棒５の根元部分が膨らんでしまうため、前記口金２５により二重サック２２の膨らみが押えられる。
【００２４】
導圧管２４は、一端が前記口金２５のポート２６に接続され、他端に圧力センサ２３が取り付けられている。また、途中に三方弁２８を介して分岐管２９が接続され、当該分岐管２９の端部には測定流体となる空気を供給する注射器程度のエアシリンダ３０が取り付けられている。
【００２５】
本例の不感症診断装置２１は、まず、三方弁２８を開いて分岐管２９と導圧管２４を導通させてエアシリンダ３０により二重サック２２内に空気を充填した後、三方弁２８を閉じて分岐管２９と導圧管２４を遮断する。
【００２６】
この状態で、圧力センサ２３とペンレコーダ１３をアンプ１２に接続して、バイブレータ２を女性性器に挿入した状態で、圧力センサ２３から出力された信号で０点を設定する。
【００２７】
次いで、バイブレータ２のスイッチ（図示せず）を入れ、患者に刺激を加え続けると、女性性器の収縮状態が圧力センサ２３により検出され、その出力信号がペンレコーダ１３により記録される。
この場合、圧力センサ２３の出力信号Ｍは、前述と同様、図２（ｃ）に示すような波形であり、アンプ１２を通すことによって、図２（ｂ）に示す高周波成分Ｈが除去され、図２（ａ）に示す低周波成分Ｌのみをペンレコーダ１３で記録することができる。
【００２８】
したがって本例も、圧力センサ２３から出力された信号の低周波成分Ｌを観察し、僅かでも変化が起これば治る可能性の極めて高い内因性の不感症であることがわかる。
【００２９】
【発明の効果】
以上述べたように、本発明によれば、バイブレータで刺激を加えながら女性性器の収縮状態を正確に検出することができるので、僅かでも変化が認められれば身体的欠陥がないと判断でき、不感症の原因を容易に特定することができると同時に、これを患者に示すことにより自らの思い込みによる心理的な重圧から開放させることができ、したがって、以後の治療効果を向上させることができるという大変優れた効果を奏する。
【図面の簡単な説明】
【図１】本発明に係る不感症診断装置を示す説明図。
【図２】出力された信号波形を示す説明図。
【図３】他の実施形態を示す説明図。
【符号の説明】
１、２１………不感症診断装置
２………バイブレータ
５ａ……周面
３………圧力測定器
１０………圧力センサ
１２………アンプ（増幅器）
２２………二重サック
２３………圧力センサ
２４………導圧管
【図１】
0003583348.tif 000002
【図２】
0003583348.tif 000003
【図３】
0003583348.tif 000004